(57)【要約】【課題】  香りを発する、より有用性の高い携帯電話機を提供する。【解決手段】  携帯電話機１００を提供する。携帯電話機１００のＣＰＵ１２３は、電子メールが無線部１１８経由で着信すると、この電子メールをＥＥＰＲＯＭ１２１に書き込むとともに、当該電子メールから送信元アドレスを抽出する。この送信元アドレスがＥＥＰＲＯＭ１２１上の着信通知テーブルＴ１に登録されている場合には、この送信元アドレスに対応付けられた識別子を着信通知テーブルＴ１から読み出す。次に、読み出した識別子に対応したアクチュエータを制御する旨の制御信号を駆動部１２０に供給する。駆動部１２０は、当該送信元アドレスに応じた香りの微粒子の放出を制御される。【選択図】      図７
2005295206.tif 000002
【特許請求の範囲】
【請求項１】
電子メールを受信する受信手段と、
文字列と香りの種類とが対応付けて書き込まれる記憶手段と、
前記受信手段が前記電子メールを受信すると、該電子メール内の文字列に対応付けて前記記憶手段に書き込まれている種類の香りの微粒子を周囲の空気中に放出する放出手段と
を有する携帯電話機。
【請求項２】
前記文字列は電子メールアドレスであり、
前記放出手段は、前記受信手段が前記電子メールを受信すると、該電子メール内の送信元アドレスに対応付けて前記記憶手段に書き込まれている種類の香りの微粒子を周囲の空気中に放出する
ことを特徴とする請求項１に記載の携帯電話機。
【請求項３】
楽音データを放音するスピーカと、
前記楽音データが書き込まれる記憶手段と、
使用者の指示を入力する入力手段と、
前記入力手段により入力された指示に従って、前記記憶手段に書き込まれた前記楽音データを選択する選択手段と、
前記選択手段により選択された前記楽音データを前記スピーカに放音させるとともに、該楽音データに応じた香りの微粒子を周囲の空気中に放出する放出手段と
を有する携帯電話機。
【請求項４】
前記放出手段は、前記選択手段により選択された前記楽音データを前記スピーカに放音させるとともに、該楽音データに応じた香りの微粒子を前記スピーカ近傍の空気中に放出する
ことを特徴とする請求項３に記載の携帯電話機。
【請求項５】
香りの微粒子を発する芳香源を収容した容器と電池とが一体化されたカートリッジを着脱自在に装着する装着手段と、
前記装着手段に装着された前記カートリッジ内の前記芳香源を用いて香りの微粒子を生成し、周囲の空気中に放出する放出手段と
を有する携帯電話機。
【発明の詳細な説明】
【技術分野】
【０００１】
本発明は、香りを発する携帯電話機に関する。
【背景技術】
【０００２】
香りを発する携帯電話機が提案されている。
特許文献１には、アンテナ近傍から香りを発する携帯電話機が開示されている。
この携帯電話機は先端にノブを有するロッドアンテナを備えており、使用者はノブを摘まんでロッドアンテナを伸長させたり収納したりすることができる。ロッドアンテナの根元には芳香剤の容器が設けられている。この容器の口はロッドアンテナの収納時にノブで塞がれ、伸長時に開放される。つまり、ロッドアンテナの伸長時にのみ、芳香剤からの香りが発散される。なお、この文献には、芳香剤の容器を分割して多様な香りを発することも示唆されている。
【０００３】
ところで、携帯電話機は電気機器であるから、着信などの電気的なイベントをトリガとして香りを発することができれば便利である。しかし、香りを発するトリガとして特許文献１に記載されているのは、ロッドアンテナの伸長や折り畳み式携帯電話機のフリップの開放であり、いずれも機械的なイベントである。電気的なイベントをトリガとして香りを発する携帯電話機としては、特許文献２や特許文献３に記載のものがある。
【０００４】
特許文献２には、着信時に香りを発する携帯電話機が開示されている。
この携帯電話機は、着信時に偏心荷重を回転させて本体を振動させる。この偏心荷重には芳香部材が嵌め込まれている。よって、着信があると、芳香部材が偏心荷重とともに回転して香りが拡がる。
【０００５】
特許文献３には、香りを再生する受信再生装置が開示されている。
この受信再生装置は、映像データや音データとともに香りの数値化データを受信し、受信したデータを用いて映像、音および香りを再生する。さらに、この文献には、この受信再生装置を携帯電話機に組み込むことや、発信者と香りの数値化データとを１対１に対応付けて携帯電話機に登録しておき、着信時に再生した香りから発信者を特定することが示唆されている。
【特許文献１】特開平２００２−７６７３４号公報
【特許文献２】特開平２００２−２９０５２６号公報
【特許文献３】特開平２００１−３３９３５３号公報
【発明の開示】
【発明が解決しようとする課題】
【０００６】
ところで、芳香剤などの芳香源は消耗品である。したがって、使用者は、携帯電話機に芳香源を補充しなければならない。
芳香源を補充する場合、特許文献１の携帯電話機では、ロッドアンテナを電話機本体から取り外し、ロッドアンテナから容器を抜き取り、新しい容器にロッドアンテナを差し込み、ロッドアンテナを本体に取り付けることになる。一方、特許文献２の携帯電話機では、携帯電話機から蓋を外して芳香部材を露出させ、芳香部材を偏心荷重から抜き取り、新しい芳香部材を偏心荷重に嵌め込み、上記の蓋を取り付けることになる。
いずれにしても、香りを発する機能を維持するために少なからぬ手間がかかる。これは、使用者にとって大きな負担であり、香りを発する携帯電話機の有用性を低下させる一因となる。
【０００７】
また、特許文献２や特許文献３に示唆されている電気的なイベントは着信であるが、現在、着信には、通話の着信だけでなく、電子メールの着信もある。しかし、いずれの文献にも、どのような着信があった場合にどのようにするのか、という具体的な記載がない。つまり、これらの文献に開示の携帯電話機は、着信について音、光および振動を用いて既に実施されていることを香りで実現したものに過ぎない。したがって、これらの文献に開示の携帯電話機の有用性は、香りを発する機能を持たない一般的な携帯電話機のそれと大差ないことになる。
【０００８】
本発明は、上述した事情に鑑みて為されたものであり、香りを発する、より有用性の高い携帯電話機を提供することを目的とする。
【課題を解決するための手段】
【０００９】
本発明は、電子メールを受信する受信手段と、文字列と香りの種類とが対応付けて書き込まれる記憶手段と、前記受信手段が前記電子メールを受信すると、該電子メール内の文字列に対応付けて前記記憶手段に書き込まれている種類の香りの微粒子を周囲の空気中に放出する放出手段とを有する携帯電話機を提供する。この携帯電話機は電子メール内の文字列に対応する香りを当該電子メールの受信時に発するから、使用者は、如何なる電子メールが到着したのかを香りで知ることができる。このような機能は従来の携帯電話機に無いから、本携帯電話機の有用性は極めて高い。
【００１０】
また、本発明は、楽音データを放音するスピーカと、前記楽音データが書き込まれる記憶手段と、使用者の指示を入力する入力手段と、前記入力手段により入力された指示に従って、前記記憶手段に書き込まれた前記楽音データを選択する選択手段と、前記選択手段により選択された前記楽音データを前記スピーカに放音させるとともに、該楽音データに応じた香りの微粒子を周囲の空気中に放出する放出手段とを有する携帯電話機を提供する。この携帯電話機は選択された楽音データの放音時に当該楽音データに応じた香りを発するから、使用者は、楽音とともに香りを楽しむことができる。このような機能は従来の携帯電話機に無いから、本携帯電話機の有用性は極めて高い。
【００１１】
また、本発明は、香りの微粒子を発する芳香源を収容した容器と電池とが一体化されたカートリッジを着脱自在に装着する装着手段と、前記装着手段に装着された前記カートリッジ内の前記芳香源を用いて香りの微粒子を生成し、周囲の空気中に放出する放出手段とを有することを特徴とする携帯電話機を提供する。この携帯電話機における電池の交換作業は芳香源の交換作業を兼ねることになる。したがって、容器と電池とが別体の従来の携帯電話機に比較すると、香りを発する機能を維持するためにかかる手間が削減される。よって、本携帯電話機の有用性は極めて高い。
【発明を実施するための最良の形態】
【００１２】
以下、図面を参照して、本発明の一実施形態について説明する。なお、各図において、共通する部分には同一の符号が付されている。
図１は本実施形態に係る携帯電話機１００を表側から眺めた図である。
この図に示すように、携帯電話機１００の筐体１０１には、操作部１０２、および画面を表示するディスプレイ１０３が設けられている。操作部１０２は数字、アルファベット等の文字や各種の指示を入力するために使用者に操作されるものであり、複数のキーを備えている。
【００１３】
図２は携帯電話機１００を裏側から眺めた図である。
この図に示すように、筐体１０１には筐体１０１の内部に向けて穴１０４が形成されている。穴１０４の奥には、着信メロディの楽音信号を受けて放音する着信音用スピーカ１０５がある。また、筐体１０１には蓋１０６が着脱自在に取り付けられている。
【００１４】
図３は蓋１０６付近の分解斜視図である。
この図に示すように、蓋１０６の奥には、カートリッジ１０７、およびカートリッジ１０７が嵌め込まれた装着部１０８がある。
カートリッジ１０７は、携帯電話機１００の電源となる電池１０９と香りの微粒子を噴射する香りスプレー１１０とを一体化したものである。香りスプレー１１０は気密性の高い２つの容器１１１Ｊ・１１１Ｍを備えている。容器１１１Ｊはジャスミンの香りの芳香源を収容しており、容器１１１Ｍはミントの香りの芳香源を収容している。いずれの芳香源も液状であり、容器１１１Ｊ・１１１Ｍには、収容している芳香源を用いて香りの微粒子を噴射するノズル１１２Ｊ・１１２Ｍが設けられている。
【００１５】
図４および図５はノズル１１２Ｊ・１１２Ｍを拡大して示す斜視図である。
ノズル１１２Ｊは、容器１１１Ｊの気密性を下げることなく摺動する台座１１３Ｊ、および台座１１３Ｊに根元が固定されたチューブ１１４Ｊを有する。台座１１３Ｊは、容器１１１Ｊの内から外への復元方向Ｄ１に付勢されており、通常の状態では所定位置にある（図４参照）。また、台座１１３Ｊは、復元方向Ｄ１と逆向きの押下方向Ｄ２に十分に大きな力が加わると、所定位置から押下方向Ｄ２に摺動する（図５参照）。チューブ１１４Ｊは弾力性のある素材から形成されており、その先端１１５Ｊは香りの微粒子の噴射口となっている。ノズル１１２Ｊは、台座１１３Ｊの位置が所定位置のときには香りの微粒子を噴射せず、所定位置でないときには香りの微粒子を先端１１５Ｊから噴射する。
以上と同様のことがノズル１１２Ｍにも当てはまる。
【００１６】
装着部１０８は筐体１０１の一部であり、カートリッジ１０７が図３の向きで嵌め込まれる凹部を形成している。この凹部の側面において、嵌め込まれたカートリッジ１０７のチューブ１１４Ｊ・１１４Ｍに対向する位置には挿入孔１１６Ｊ・１１６Ｍが形成されている。挿入孔１１６Ｊ・１１６Ｍには、嵌め込まれたカートリッジ１０７のチューブ１１４Ｊ・１１４Ｍが差し込まれる。また、凹部の側面において、嵌め込まれたカートリッジ１０７の台座１１３Ｊ・１１３Ｍに当接する位置には、アクチュエータ１１７Ｊの可動端Ｊ１およびアクチュエータ１１７Ｍの可動端Ｍ１が露出している。
【００１７】
図６は挿入孔１１６Ｊおよびアクチュエータ１１７Ｊ付近のＡ−Ａ´断面図である。
この図に示すように、挿入孔１１６Ｊは着信音用スピーカ１０５の前面を通って穴１０４に繋がっている。着信音用スピーカ１０５の前面には、嵌め込まれたカートリッジ１０７のチューブ１１４Ｊの先端１１５Ｊが位置している。また、アクチュエータ１１７Ｊは、筐体１０１に固定された固定端Ｊ２を有し、駆動されると、筐体１０１の長手方向、すなわち嵌め込まれたカートリッジ１０７の台座１１３Ｊの摺動方向に伸縮する。
以上と同様のことが挿入孔１１６Ｍおよびアクチュエータ１１７Ｍにも当てはまる。
【００１８】
図７は携帯電話機１００の電気的構成を示すブロック図である。
無線部１１８は移動体通信網の基地局（図示略）との間でデータの送受信を行うものであり、後述のＣＰＵ（中央処理装置）１２３が移動体通信網経由で電子メールを受信するときや、着信メロディをダウンロードするときに用いられる。
音源１１９はＭＩＤＩ（Musical Instrument Digital Interface）データを入力して楽音信号を生成し、着信音用スピーカ１０５に供給する。
駆動部１２０は制御信号を受けてアクチュエータ１１７Ｊ・１１７Ｍを十分に大きな力で伸縮させる。
【００１９】
ＥＥＰＲＯＭ（Electrically Erasable Programmable Read Only Memory）１２１は、電子メールや着信メロディ等のデータを記憶するためのものであり、電子メールの着信を通知する際に参照される着信通知テーブルＴ１、および着信メロディを再生する際に参照される再生テーブルＴ２を記憶している。初期状態では、着信通知テーブルＴ１および再生テーブルＴ２のレコード数は共に零である。
ＲＯＭ１２２は後述の処理を導くための制御プログラムを記憶している。
ＣＰＵ１２３は、ＲＯＭ１２２から制御プログラムを読み出して実行する。
【００２０】
図８は制御プログラムを実行しているＣＰＵ１２３が行う処理の流れを示す図である。
ＣＰＵ１２３は、制御プログラムを実行すると、まず、待ち受け処理Ｐ１を開始する。待ち受け処理Ｐ１では、無線部１１８を介して電子メールが着信したり、使用者が操作部１０２を用いて指示を入力したりするのを待ち受ける。以降、これらのイベントをトリガとして開始される各処理について、電子メールの着信に関するものと、着信メロディの再生に関するものとに分け、具体的な使用例に沿って説明する。
【００２１】
［電子メールの着信に関する処理］
まず、待ち受け処理Ｐ１中に、使用者が操作部１０２を操作し、電子メールアドレスの登録を開始する旨の指示を入力したものとする。すると、ＣＰＵ１２３は当該指示に従ってアドレス登録処理Ｐ２を開始する。アドレス登録処理Ｐ２では、図９に示す画面をディスプレイ１０３に表示させ、電子メールアドレスの入力と、この電子メールアドレスを送信元アドレスとした電子メールの着信時に着信を通知する香りの選択を使用者に促す。
【００２２】
ここでは、使用者が、電子メールアドレスとして文字列「ａｂｃ@ａ．ｃｏｍ」を入力し、上記の香りとして「ジャスミン」を選択する指示を入力したものとする。すると、ＣＰＵ１２３は、電子メールアドレス「ａｂｃ@ａ．ｃｏｍ」とジャスミンの香りの識別子「Ｊ」とを対応付けたレコードをＥＥＰＲＯＭ１２１上の着信通知テーブルＴ１に格納し、アドレス登録処理Ｐ２を終了する。
【００２３】
次に、待ち受け処理Ｐ１中に、使用者が、上記と同様の指示入力を更に１回繰り返したものとする。これにより、着信通知テーブルＴ１には計２つのレコードが格納される。なお、２番目のレコードは、図１０に示すように、電子メールアドレス「１２３@ｂ．ｃｏｍ」とミントの香りの識別子「Ｍ」とを対応付けている。
【００２４】
次に、待ち受け処理Ｐ１中に、「ａｂｃ@ａ．ｃｏｍ」を送信元アドレスとした電子メールが無線部１１８経由で着信したものとする。この場合、ＣＰＵ１２３は、この着信を検出してメール受信処理Ｐ３を開始する。
【００２５】
図１１はメール受信処理Ｐ３の流れを示すフローチャートである。
この図に示すように、メール受信処理Ｐ３では、ＣＰＵ１２３は、まず、着信した電子メールをＥＥＰＲＯＭ１２１に書き込むとともに、当該電子メールから送信元アドレスを抽出する（ステップＳ１１）。次に、この送信元アドレスが着信通知テーブルＴ１に登録されているか否かを判定する（ステップＳ１２）。受信した電子メールの送信元アドレスは「ａｂｃ@ａ．ｃｏｍ」であり、着信通知テーブルＴ１には「ａｂｃ@ａ．ｃｏｍ」を電子メールアドレスとして含むレコードが格納されているから、この判定結果は「ＹＥＳ」となる。
【００２６】
よって、ＣＰＵ１２３は、着信通知テーブルＴ１から、「ａｂｃ@ａ．ｃｏｍ」に対応付けられている識別子を読み出す（ステップＳ１３）。次に、ＣＰＵ１２３は、読み出した識別子に対応したアクチュエータ１１７Ｊを伸ばす旨の制御信号を駆動部１２０に供給する（ステップＳ１４）。
【００２７】
この制御信号を受けた駆動部１２０はアクチュエータ１１７Ｊを伸ばす。このとき、アクチュエータ１１７Ｊは十分に大きな力で伸びるから、その可動端Ｊ１は、図１２に示すように、当接している台座１１３Ｊを押下方向Ｄ２に押しつつ移動する。つまり、台座１１３Ｊが所定位置から押下方向Ｄ２に摺動する。よって、ノズル１１２Ｊがジャスミンの香りの微粒子をチューブ１１４Ｊの先端１１５Ｊから噴射する。噴射された香りの微粒子は着信音用スピーカ１０５の前面の空間において拡散され、穴１０４を通って筐体１０１の外へ放出される。
【００２８】
以降、ＣＰＵ１２３は、予め設定された通知時間だけ待つ（ステップＳ１５：ＮＯ）。この間、ジャスミンの香りの微粒子が噴射され続ける。そして、予め設定された通知時間が経過すると（ステップＳ１５：ＹＥＳ）、ＣＰＵ１２３は、アクチュエータ１１７Ｊを縮める旨の制御信号を駆動部１２０に供給する（ステップＳ１６）。
【００２９】
この制御信号を受けた駆動部１２０は伸ばしたアクチュエータ１１７Ｊを縮める。これにより、図６に示すように、アクチュエータ１１７Ｊの可動端Ｊ１は復元方向Ｄ１に移動する。可動端Ｊ１に押されていた台座１１３Ｊは復元方向Ｄ１に付勢されているから、可動端Ｊ１とともに復元方向Ｄ１に摺動する。この結果、台座１１３Ｊが所定位置に戻り、香りの微粒子の噴射が停止する。
こうして、メール受信処理Ｐ３が終了する。
【００３０】
次に、待ち受け処理Ｐ１中に、「４５６@ｄ．ｃｏｍ」を送信元アドレスとした電子メールが無線部１１８経由で着信したものとする。この場合、ＣＰＵ１２３は、メール受信処理Ｐ３を開始し、途中まで、上述と同様の処理を行う（ステップＳ１１）。しかし、「４５６@ｄ．ｃｏｍ」は着信通知テーブルＴ１に登録されていないから、ステップＳ１２の判定結果が「ＮＯ」となり、メール受信処理Ｐ３が終了する。
【００３１】
［着信メロディの再生に関する処理］
まず、待ち受け処理Ｐ１中に、使用者が操作部１０２を操作し、所望の着信メロディ（曲名が「ＡＡＡ」の着信メロディ）をダウンロードする旨の指示を入力したものとする。すると、ＣＰＵ１２３は当該指示に従ってダウンロード処理Ｐ４を開始する。ダウンロード処理Ｐ４では、曲名が「ＡＡＡ」の着信メロディを無線部１１８経由で受信し、ＥＥＰＲＯＭ１２１に書き込み、ダウンロード処理Ｐ４を終了する。この着信メロディには、再生開始から１０秒後にミントの香りの放出を開始し、再生開始から２０秒後に当該放出を停止する旨のコマンドが埋め込まれているものとする。以降の説明では、このような、香りの放出の制御内容を示すコマンドを「香りコマンド」と呼ぶ。
【００３２】
次に、待ち受け処理Ｐ１中に、使用者が上記と同様の指示入力を更に２回繰り返したものとする。この結果、ＥＥＰＲＯＭ１２１には計３つの着信メロディが書き込まれる。なお、２番目、３番目の着信メロディの曲名は、それぞれ、「ＢＢＢ」、「ＣＣＣ」であるまた、これら２つの着信メロディには香りコマンドが埋め込まれてない。
次に、待ち受け処理Ｐ１中に、使用者が、ＥＥＰＲＯＭ１２１に書き込まれている着信メロディの一覧表示を要求する指示を入力したものとする。すると、ＣＰＵ１２３は当該指示に従って一覧表示処理Ｐ５を開始する。
【００３３】
一覧表示処理Ｐ５では、ＣＰＵ１２３は、ＥＥＰＲＯＭ１２１に最初に書き込まれた着信メロディ（曲名が「ＡＡＡ」の着信メロディ）を選択し、ＥＥＰＲＯＭ１２１上の再生テーブルＴ２を参照して、曲名と香りの名称とを並べて示す画面をディスプレイ１０３に表示させる（図１３参照）。この画面では、３つの着信メロディの曲名がＥＥＰＲＯＭ１２１への書き込み順に並んでおり、選択されている着信メロディの曲名「ＡＡＡ」が画面上で強調されている。なお、この時点では、再生テーブルＴ２に格納されているレコード数は零であるから、香りの名称は表示されない。
【００３４】
次に、使用者が、次順の着信メロディを選択する旨の指示を入力したものとする。すると、ＣＰＵ１２３は、この指示に従って２番目の着信メロディを選択し、再生テーブルＴ２を参照して、図１４に示す画面をディスプレイ１０３に表示させる。この画面では、選択されている着信メロディの曲名「ＢＢＢ」が強調されている。
次に、使用者が、選択された着信メロディに香りを設定する処理を開始する旨の指示を入力したものとする。すると、ＣＰＵ１２３は、当該指示に従って香り設定処理Ｐ６を開始する。
【００３５】
香り設定処理Ｐ６では、ＣＰＵ１２３は、図１５に示す画面をディスプレイ１０３に表示させ、曲名が「ＢＢＢ」の着信メロディの再生時に放出する香りの選択を使用者に促す。ここでは、使用者が、この香りとして「ジャスミン」を選択する指示を入力したものとする。すると、ＣＰＵ１２３は、曲名「ＢＢＢ」とジャスミンの香りの識別子「Ｊ」とを対応付けたレコードを再生テーブルＴ２に格納し、香り設定処理Ｐ６を終了する。この結果、再生テーブルＴ２の内容は図１６に示す通りとなる。よって、ディスプレイ１０３には図１７に示す画面が表示される。この画面において、曲名「ＢＢＢ」の隣には、この曲名に対応付けられた香りの名称「ジャスミン」が並んでいる。
【００３６】
次に、使用者が、選択された着信メロディを再生する旨の指示を入力したとする。すると、ＣＰＵ１２３は、当該指示に従って再生処理Ｐ７を開始する。
図１８は再生処理Ｐ７の流れを示すフローチャートである。
この図に示すように、再生処理Ｐ７では、ＣＰＵ１２３は、まず、選択されている着信メロディの曲名「ＢＢＢ」が再生テーブルＴ２に登録されているか否かを判定する（ステップＳ２１）。再生テーブルＴ２には「ＢＢＢ」を曲名として含むレコードが格納されているから、この判定結果は「ＹＥＳ」となる。よって、ＣＰＵ１２３は、再生テーブルＴ２から、「ＢＢＢ」に対応付けられている識別子「Ｊ」を読み出し（ステップＳ２２）、この識別子「Ｊ」に対応したアクチュエータ１１７Ｊを伸ばす旨の制御信号を駆動部１２０に供給する（ステップＳ２３）。この結果、台座１１３Ｊが所定位置から摺動し、チューブ１１４Ｊの先端１１５Ｊからジャスミンの香りの微粒子が噴射される。
【００３７】
次に、ＣＰＵ１２３は、選択されている着信メロディ内のＭＩＤＩデータを再生する（ステップＳ２４）。すなわち、着信メロディ内の全てのＭＩＤＩデータを各々に適したタイミングで音源１１９へ出力する。音源１１９は当該ＭＩＤＩデータを入力して楽音信号を生成し、着信音用スピーカ１０５に供給する。この結果、着信音用スピーカ１０５から、曲名が「ＢＢＢ」の着信メロディの楽音が放音される。この楽音は主に穴１０４を通って筐体１０１の外へ伝播される。このとき、楽音が伝播される空間において、先端１１５Ｊから噴射された香りの微粒子の拡散が当該楽音（音波）によって助長される。よって、ジャスミンの香りの微粒子が穴１０４を通って筐体１０１の外へ放出され易くなる。
【００３８】
着信メロディ内のＭＩＤＩデータの再生を終えると、ＣＰＵ１２３は、伸ばしたアクチュエータ１１７Ｊを縮める旨の制御信号を駆動部１２０に供給する（ステップＳ２５）。この結果、台座１１３Ｊが所定位置に戻り、香りの微粒子の噴射が停止する。
こうして、再生処理Ｐ７が終了する。
【００３９】
次に、一覧表示処理Ｐ５中に、使用者が、次順の着信メロディを選択する旨の指示を入力したものとする。すると、３番目の着信メロディが選択され、この着信メロディの曲名「ＣＣＣ」を強調した画面がディスプレイ１０３に表示される。次に、使用者が、選択された着信メロディを再生する旨の指示を入力する。すると、ＣＰＵ１２３は、当該指示に従って再生処理Ｐ７を開始する。
【００４０】
この再生処理Ｐ７では、再生テーブルＴ２には「ＣＣＣ」を曲名として含むレコードが格納されていないから、ステップＳ２１の判定結果が「ＮＯ」となる。よって、ＣＰＵ１２３は、曲名が「ＣＣＣ」の着信メロディに香りコマンドが含まれているか否かを判定する（ステップＳ２６）。前述したように、この着信メロディに香りコマンドは含まれていないから、この判定結果は「ＮＯ」となる。
【００４１】
よって、ＣＰＵ１２３は、この着信メロディ内のＭＩＤＩデータを用いて、使用回数の多いコードの種類（メジャー／マイナー）を特定する（ステップＳ２７）。ここでは、コードの種類として「メジャー」が特定されたものとする。次に、ＣＰＵ１２３は、特定したコードの種類「メジャー」に対応したアクチュエータ１１７Ｊを伸ばす旨の制御信号を駆動部１２０に供給する（ステップＳ２８）。この結果、ジャスミンの香りの微粒子が噴射される。次に、ＣＰＵ１２３は、曲名が「ＣＣＣ」の着信メロディ内のＭＩＤＩデータを再生する（ステップＳ２９）。この結果、着信音用スピーカ１０５から曲名が「ＣＣＣ」の着信メロディの楽音が放音される。着信メロディ内のＭＩＤＩデータの再生を終えると、ＣＰＵ１２３は、伸ばしたアクチュエータ１１７Ｊを縮める旨の制御信号を駆動部１２０に供給する（ステップＳ３０）。この結果、香りの微粒子の噴射が停止する。
こうして、再生処理Ｐ７が終了する。
【００４２】
次に、一覧表示処理Ｐ５中に、使用者が、次順の着信メロディを選択する旨の指示を入力したものとする。すると、１番目の着信メロディが選択され、この着信メロディの曲名「ＡＡＡ」を強調した画面がディスプレイ１０３に表示される。次に、使用者が、選択された着信メロディを再生する旨の指示を入力したものとする。すると、ＣＰＵ１２３は、当該指示に従って再生処理Ｐ７を開始する。
【００４３】
この再生処理Ｐ７では、ＣＰＵ１２３は、途中まで、上述と同様の処理を行う（ステップＳ２１：ＮＯ、Ｓ２６）。しかし、前述したように、曲名が「ＡＡＡ」の着信メロディには香りコマンドが含まれているから、ステップＳ２６の判定結果が「ＹＥＳ」となる。よって、ＣＰＵ１２３は、コマンド再生処理を行う（ステップＳ３１）。
【００４４】
図１９はコマンド再生処理の流れを示すフローチャートである。
この図に示すように、コマンド再生処理では、ＣＰＵ１２３は、着信メロディ内に未再生のデータがなくなるまで、再生タイミングを迎えたデータが存在するか否かを判定し続ける（ステップＳ４１：ＮＯ、Ｓ４２：ＮＯ）。この間、再生タイミングを迎えたデータが存在すると（ステップＳ４２：ＹＥＳ）、このデータが香りコマンドであるか否かを判定する（ステップＳ４３）。
【００４５】
コマンド再生処理の開始時点からの経過時間が１０秒に達するまでの間、ステップＳ４３の判定結果は「ＮＯ」となり続ける。よって、この間、ＣＰＵ１２３は、再生タイミングを迎えたデータを音源１１９へ出力する（ステップＳ４４）。この結果、曲名が「ＡＡＡ」の着信メロディの楽音が着信音用スピーカ１０５から放音される。
【００４６】
上記の経過時間が１０秒に達すると、再生開始から１０秒後にミントの香りの放出を開始する旨の香りコマンドが再生タイミングを迎える。このとき、ステップＳ４３の判定結果が「ＹＥＳ」となるから、ＣＰＵ１２３は、この香りコマンドに従って、ミントの香りに対応したアクチュエータ１１７Ｍを伸ばす旨の制御信号を駆動部１２０に供給する（ステップＳ４５）。この結果、アクチュエータ１１７Ｍが伸び、ノズル１１２Ｍがミントの香りの微粒子をチューブ１１４Ｍの先端１１５Ｍから噴射する。噴射された香りの微粒子は着信音用スピーカ１０５の前面の空間において拡散され、その一部が穴１０４を通って筐体１０１の外へ放出される。
【００４７】
以降、上記の経過時間が２０秒に達するまで、着信メロディの楽音が放音され続けるとともに、ミントの香りの微粒子が噴射され続ける。そして、上記の経過時間が２０秒に達すると、再生開始から２０秒後にミントの香りの放出を停止する旨の香りコマンドが再生タイミングを迎え、ステップＳ４３の判定結果が「ＹＥＳ」となるから、ＣＰＵ１２３は、この香りコマンドに従って、ミントの香りに対応したアクチュエータ１１７Ｍを縮める旨の制御信号を駆動部１２０に供給する（ステップＳ４５）。この結果、アクチュエータ１１７Ｍが縮み、ミントの香りの微粒子の噴射が停止する。
【００４８】
以降、着信メロディ内に未再生のデータがなくなるまで、着信メロディの楽音が放音され続ける。そして、着信メロディ内に未再生のデータがなくなると（ステップＳ４１：ＹＥＳ）、コマンド再生処理が終了し、再生処理Ｐ７が終了する。そして、使用者が、一覧表示処理Ｐ５を中止する旨の指示を入力すると、ＣＰＵ１２３は一覧表示処理Ｐ５を終了する。
【００４９】
以上説明したように、携帯電話機１００は、電子メールの着信時に、この電子メールの送信元アドレスに予め対応付けられた香りの微粒子を放出することができる。人間は多種の香りを嗅ぎ分けることができるから、携帯電話機１００の使用者は、着信の事実のみならず、着信した電子メールの送信者をも知ることができる。また、香りを用いることにより、使用者に穏やかな刺激を与えることができるから、即応が要求されない通信手段である電子メールの送信者の通知に用いて好適である。
【００５０】
また、携帯電話機１００は、着信メロディに使用者の指示に従って香りの識別子を対応付け、着信メロディの再生時に、この着信メロディに対応付けられた識別子の香りの微粒子を放出することができる。よって、使用者は、携帯電話機１００に着信メロディを再生する指示を入力するだけで、この着信メロディと自身の嗜好とに合った香りの微粒子を放出させることができる。
【００５１】
また、携帯電話機１００は、着信メロディの再生時に、この着信メロディ内のＭＩＤＩデータに応じたコードを特定し、特定したコードに合った香りの微粒子を放出することができる。よって、使用者は、着信メロディに香りの識別子を対応付けなくとも、着信メロディの再生時に、この着信メロディに合った香りを楽しむことができる。
【００５２】
また、携帯電話機１００は、着信メロディの再生時に、この着信メロディ内の香りコマンドに従って、香りの微粒子の放出を制御することができる。よって、着信メロディの作者にとっては香りの微粒子の放出を自身の意図に合うように制御することが可能となり、使用者にとっては、着信メロディに香りの識別子を対応付けなくとも、着信メロディの再生時に、この着信メロディに合った香りを楽しむことができる。
【００５３】
また、携帯電話機１００は、使用者が再生する着信メロディを一覧から選択する際に、着信メロディの曲名に対応付けて香りの名称を表示することができる。よって、使用者は、聴覚的な嗜好のみならず、嗅覚的な嗜好をも加味して、再生する着信メロディを選択することができる。
【００５４】
［交換作業］
ところで、携帯電話機１００を使用していると、電池１０９が消耗し、その交換が必要となってくる。この交換作業について、図３を参照して説明する。
使用者は、まず、携帯電話機１００の筐体１０１から蓋１０６を取り外す。次に、筐体１０１の装着部１０８から古いカートリッジ１０７を取り外す。次に、新しいカートリッジ１０７を装着部１０８に装着する。このとき、カートリッジ１０７のチューブ１１４Ｊは装着部１０８の挿入孔１１６Ｊに差し込まれ、チューブ１１４Ｍは挿入孔１１６Ｍに差し込まれる。最後に、使用者は蓋１０６を筐体１０１に取り付ける。
このように、電池１０９の交換時にはカートリッジ１０７が交換される。カートリッジ１０７には芳香源を収容した香りスプレー１１０も含まれているから、電池１０９を交換するだけで、芳香源も交換することができる。
【００５５】
［変形］
なお、上述した実施形態を任意に変形してもよい。
例えば、電子メールアドレスではない文字列と香りの識別子とを対応付けて着信通知テーブルＴ１に格納しておき、着信通知テーブルＴ１に登録されている文字列をヘッダまたは本文に含む電子メールが着信したときに当該文字列に対応付けられた香りの微粒子を放出するようにしてもよい。
また、例えば、着信メロディと香りの識別子を対応付ける作業を、着信メロディのダウンロード時に行うようにしてもよい。
また、例えば、着信メロディに限らず、携帯電話機で再生されて楽音を発する任意の形式の楽音データと香りの種類とを対応付けるようにしてもよい。
【図面の簡単な説明】
【００５６】
【図１】本実施形態に係る携帯電話機１００を表側から眺めた図である。
【図２】携帯電話機１００を裏側から眺めた図である。
【図３】携帯電話機１００の蓋１０６付近の分解斜視図である。
【図４】蓋１０６の奥にあるカートリッジ１０７のノズル１１２Ｊ・１１２Ｍを拡大して示す斜視図である。
【図５】ノズル１１２Ｊ・１１２Ｍを拡大して示す斜視図である。
【図６】携帯電話機１００の挿入孔１１６Ｊおよびアクチュエータ１１７Ｊ付近のＡ−Ａ´断面図である。
【図７】携帯電話機１００の電気的構成を示すブロック図である。
【図８】携帯電話機１００のＣＰＵ１２３が行う処理の流れを示す図である。
【図９】携帯電話機１００のディスプレイ１０３に表示される画面の図である。
【図１０】携帯電話機１００の着信通知テーブルＴ１の内容を模式的に示す図である。
【図１１】ＣＰＵ１２３が行うメール受信処理Ｐ３の流れを示すフローチャートである。
【図１２】挿入孔１１６Ｊおよびアクチュエータ１１７Ｊ付近のＡ−Ａ´断面図である。
【図１３】ディスプレイ１０３に表示される画面の図である。
【図１４】ディスプレイ１０３に表示される画面の図である。
【図１５】ディスプレイ１０３に表示される画面の図である。
【図１６】携帯電話機１００の再生テーブルＴ２の内容を模式的に示す図である。
【図１７】ディスプレイ１０３に表示される画面の図である。
【図１８】ＣＰＵ１２３が行う再生処理Ｐ７の流れを示すフローチャートである。
【図１９】ＣＰＵ１２３が行うコマンド再生処理の流れを示すフローチャートである。
【符号の説明】
【００５７】
１００…携帯電話機、１０１…筐体、１０２…操作部、１０３…ディスプレイ、１０４…穴、１０５…着信音用スピーカ、１０６…蓋、１０７…カートリッジ、１０８…装着部、１０９…電池、１１０…香りスプレー、１１１…容器、１１２Ｊ，１１２Ｍ…ノズル、１１６Ｊ，１１６Ｍ…挿入孔、１１７Ｊ，１１７Ｍ…アクチュエータ、１１８…無線部、１１９…音源、１２０…駆動部、１２１…ＥＥＰＲＯＭ、１２２…ＲＯＭ、１２３…ＣＰＵ。
【図１】
2005295206.tif 000003
【図２】
2005295206.tif 000004
【図３】
2005295206.tif 000005
【図４】
2005295206.tif 000006
【図５】
2005295206.tif 000007
【図６】
2005295206.tif 000008
【図７】
2005295206.tif 000009
【図８】
2005295206.tif 000010
【図９】
2005295206.tif 000011
【図１０】
2005295206.tif 000012
【図１１】
2005295206.tif 000013
【図１２】
2005295206.tif 000014
【図１３】
2005295206.tif 000015
【図１４】
2005295206.tif 000016
【図１５】
2005295206.tif 000017
【図１６】
2005295206.tif 000018
【図１７】
2005295206.tif 000019
【図１８】
2005295206.tif 000020
【図１９】
2005295206.tif 000021